(57)【要約】  【課題】  一部の文書要素や図、表の識別ができるようにして、印刷文書上の文書要素、図、表とＰＣ上の文書要素、図、表を照合することを実現する。  【解決手段】  ステップＳ１にてＰＣは、ＰＣ上の文書をプリンタにより印刷し、ステップＳ２にてＰＣは、プリンタにより印刷した文書に重ねて、文書要素、図、表の識別子、位置情報をすかしとして印刷する。ステップＳ３にてスキャナは、プリンタにより印刷した文書の文書要素、図、表を指示し、指示された印刷文書の文書要素、図、表の識別子、位置情報と共に、ＰＣが認識する文書上の文書要素、図、表に対するコピー命令を含む文書編集命令を同時にＰＣに送信する。ステップＳ４にてスキャナから受信した文書要素、図、表の識別子、位置情報とＰＣ上の文書の文書要素、図、表を照合し、ステップＳ５で照合した印刷文書３を他の文書編集に使用できるように識別処理する。  【選択図】  図２
2006338454.tif 000002
【特許請求の範囲】
【請求項１】
すかしを用いた擬似ディスプレイシステムであって、パーソナルコンピュータ（ＰＣ）、１または複数のプリンタおよびスキャナを含み、前記ＰＣ上にある文書を前記プリンタにて印刷する手段と、
前記スキャナが読み取り可能な前記文書上の文書要素、図および表の識別子および／または位置情報を前記すかしとして前記文書に重ねて印刷する重ね印刷手段と、
印刷した前記文書上の所望の前記文書要素、図または表を前記スキャナにより指定する手段と、
前記スキャナからの前記文書上に前記すかしとして印刷した前記文書要素、図または表の前記識別子および／または位置情報に基づいて、印刷した前記文書上の所望の前記文書要素、図または表と前記ＰＣ上の前記文書の前記文書要素、図または表を前記ＰＣが照合する手段と、
前記ＰＣ上の前記文書の前記文書要素、図または表を他の文書編集に使用可能に識別処理する手段と、
を備えたことを特徴とする擬似ディスプレイシステム。
【請求項２】
請求項１に記載の擬似ディスプレイシステムであって、前記文書上の文書要素、図および表の識別子および／または位置情報を前記すかしとして前記文書に重ねて印刷する重ね印刷手段は、
前記文書と前記すかしを同時に、いずれかの前記プリンタにて印刷するか、または、前記文書をいずれかの前記プリンタにて印刷した後に、前記文書を印刷したのと同じ前記プリンタにて前記すかしを位置がずれないように印刷し、または、前記文書をいずれかの前記プリンタにて印刷した後に、前記文書を印刷したのとは別のいずれかの前記プリンタにて前記すかしを位置がずれないように印刷する、
ことを特徴とする擬似ディスプレイシステム。
【請求項３】
請求項１に記載の擬似ディスプレイシステムであって、印刷した前記文書上の所望の前記文書要素、図または表を前記スキャナにより指定する手段は、
前記印刷した前記文書上の所望の前記文書要素、図または表を前記ＰＣ上で識別した後に、前記識別した前記文書上の所望の前記文書要素、図または表に対する少なくともコピー命令を含む文書編集命令を同時に、前記スキャナが前記ＰＣに指定可能とした、
ことを特徴とする擬似ディスプレイシステム。
【請求項４】
請求項１から３のいずれか１項に記載の擬似ディスプレイシステムであって、前記ＰＣ上にある前記文書を印刷する手段は、
前記文書上の前記文書要素、図および表の前記識別子および／または位置情報を前記すかしとして前記文書に重ねて印刷し、印刷した前記文書上の所望の前記文書要素、図または表を前記スキャナにより指定することにより、
前記ＰＣが前記ＰＣ上の前記文書要素、図および表の前記識別子および／または位置情報と照合可能な前記識別子および／または位置情報を、前記印刷文書上において読み取ることが可能な認識解像度を前記スキャナが有する、
ことを特徴とする擬似ディスプレイシステム。
【発明の詳細な説明】
【技術分野】
【０００１】
本発明は、「すかし」を用いた擬似ディスプレイシステムに係り、より詳細にはパーソナルコンピュータ（ＰＣ）上にある文書をプリンタにて印刷する際に、ＰＣ上の文書要素、図および表の識別子および／または位置情報を文書に重ねて印刷し、印刷した文書上の所望の文書要素、図または表をスキャナにより指定することにより、印刷した文書上の文書要素、図または表に対応するＰＣ上の文書の文書要素、図または表を、ＰＣが照合することのできる「すかし」を用いた擬似ディスプレイシステムに関するものである。
【背景技術】
【０００２】
従来、印刷した文書の上に書き込みをし、書き込みをスキャナでＰＣに読み込み、読み込んだ書き込みを予めＰＣ上に存在する文書と共に編集するという手法は存在する（例えば、特許文献１参照。）。
【０００３】
しかし、印刷した文書上の文書要素、図および／または表をスキャナによりＰＣに指示し、ＰＣが指示された文書、文書要素、図および／または表を識別し、再利用するという手法は存在しない。
【特許文献１】特開２００２−３５２２１７
【発明の開示】
【発明が解決しようとする課題】
【０００４】
上記の従来技術においては、印刷した文書のみからＰＣ上の文書要素、図および／または表を識別することはできない問題がある。また、文書に３つ以上のマーキングを設けることによる位置合わせやマーキングの形状から印刷した文書を識別する手法は存在するが、この手法によっても、文書中に存在する、一部の文書要素や図および／または表の識別はできない、という問題がある。
【０００５】
本発明は、上記の事情に鑑みてなされたもので、「すかし」を用いた擬似ディスプレイシステムにおいて、印刷した文書のみからＰＣ上の文書要素、図および／または表を識別するとともに、文書中に存在する、一部の文書要素や図および／または表の識別ができるようにして、印刷した文書上の文書要素、図および／または表とＰＣ上の文書要素、図および／または表を照合することが実現できるようにした「すかし」を用いた擬似ディスプレイシステムを提供することを目的とする。
【課題を解決するための手段】
【０００６】
上記の課題を達成するために、本発明の第１発明は、すかしを用いた擬似ディスプレイシステムであって、パーソナルコンピュータ（ＰＣ）、１または複数のプリンタおよびスキャナを含み、前記ＰＣ上にある文書を前記プリンタにて印刷する際に、前記スキャナが読み取り可能な前記文書上の文書要素、図および表の識別子および／または位置情報を前記すかしとして前記文書に重ねて印刷し、印刷した前記文書上の所望の前記文書要素、図または表を前記スキャナにより指定することにより、前記スキャナからの前記文書上に前記すかしとして印刷した前記文書要素、図または表の前記識別子および／または位置情報に基づいて、印刷した前記文書上の所望の前記文書要素、図または表と前記ＰＣ上の前記文書の前記文書要素、図または表を前記ＰＣが照合し、前記ＰＣ上の前記文書の前記文書要素、図または表を他の文書編集に使用できるように識別することを特徴とする。
【０００７】
また、第２発明は、前記文書上の文書要素、図および表の識別子および／または位置情報をすかしとして前記文書に重ねて印刷する際に、前記文書と前記すかしを同時にいずれかの前記プリンタにて印刷するか、または前記文書をいずれかの前記プリンタにて印刷した後に、前記文書を印刷したのと同じ前記プリンタにて前記すかしを位置がずれないように印刷し、または前記文書をいずれかの前記プリンタにて印刷した後に、前記文書を印刷したのとは別のいずれかの前記プリンタにて前記すかしを位置がずれないように印刷することを特徴とする。
【０００８】
さらに、第３発明は、印刷した前記文書上の所望の前記文書要素、図または表を前記スキャナにより指定する際に、前記印刷した前記文書上の所望の前記文書要素、図または表を前記ＰＣ上で識別した後に、前記識別した前記文書上の所望の前記文書要素、図または表に対する少なくともコピー命令を含む文書編集命令を同時に、前記スキャナが前記ＰＣに指定できることを特徴とする。
【０００９】
さらにまた、第４発明は、前記ＰＣ上にある前記文書を印刷する際に、前記文書上の前記文書要素、図および表の前記識別子および／または位置情報をすかしとして前記文書に重ねて印刷し、印刷した前記文書上の所望の前記文書要素、図または表を前記スキャナにより指定することにより、前記ＰＣが前記ＰＣ上の前記文書要素、図および表の前記識別子および／または位置情報と照合可能な前記識別子および／または位置情報を、前記印刷文書上において読み取ることが可能な認識解像度を前記スキャナが有することを特徴とする。
【００１０】
上記のように、本発明は、文書（ドキュメント）をＰＣが印刷する際に、ドキュメントを構成するファイル(図、表など）を識別する識別子を「すかし」としてドキュメントと一緒に印刷し、印刷物をスキャナでＰＣに読み込んだときに、この「すかし」から印刷物を構成するドキュメントのファイルを同定することができる。
【発明の効果】
【００１１】
以上述べたように、本発明によれば、用紙に印刷した文書に対応するＰＣ上の文書を識別することができるとともに、文書中の任意の文書要素、図および表の識別を可能にする効果がある。
【発明を実施するための最良の形態】
【００１２】
以下本発明の実施の形態を図面に基づいて構成と動作を説明するに、本発明を実現する上で同じ機能を持つ構成要素には同じ番号を付与して述べる。
【００１３】
図１は、本発明による「すかし」を用いた擬似ディスプレイシステムの実施の形態を説明する概略構成図であって、１はＰＣ、２はプリンタ、３はＰＣ上の文書を印刷した文書、４はスキャナ、Ｓ１〜Ｓ５は後述する本発明による「すかし」を用いた擬似ディスプレイシステムの動作を説明する処理ステップである。
【００１４】
図１において、ＰＣ１は、プリンタ２に接続する。スキャナ４は、ＰＣ１に接続し、プリンタ２にて印刷された文書３上の所望の文書要素、図または表を指示し、指示された印刷文書３上の所望の文書要素、図または表の識別子および／または位置情報をＰＣ１に送信する。
【００１５】
図２は、本発明による「すかし」を用いた擬似ディスプレイシステムの動作を説明するフローチャートであって、ステップＳ１〜Ｓ５は以下の通りである。
【００１６】
まず、ステップＳ１にてＰＣ１は、ＰＣ１上の文書を印刷手段であるプリンタ２により印刷する。ステップＳ２にてＰＣ１は、プリンタ２により印刷した文書３に重ねて、ＰＣ１上の文書の文書要素、図および表の識別子および／または位置情報を「すかし」として重ね印刷手段により重ね印刷する。
【００１７】
その後、ステップＳ３にてスキャナ４は、ＰＣ１がプリンタ２により印刷した文書３の所望の文書要素、図または表を指定手段により指定し、指定された印刷文書３上の文書要素、図または表の識別子および／または位置情報と共に、ＰＣ１が認識する文書上の所望の文書要素、図または表に対する少なくともコピー命令を含む文書編集命令を同時にＰＣ１に送信する。
【００１８】
そして、ステップＳ４にてＰＣ１は、スキャナ４から受信した印刷文書３上の文書要素、図または表の識別子および／または位置情報とＰＣ１上の文書の文書要素、図または表を照合手段により照合し、ステップＳ５で照合した印刷文書３を前記ＰＣ上の前記文書の前記文書要素、図または表を他の文書編集に使用できるように識別処理手段により識別処理する。
【００１９】
この識別処理により、ＰＣ１は照合した印刷文書３上の文書要素、図または表に対応するＰＣ１上の文書要素、図または表をさらに種々の用途に活用することができるようになる。
【００２０】
上述した実施の形態では、文書と「すかし」を分離して印刷するとしたが、文書と「すかし」を同時に印刷しても良いし、また、文書と「すかし」を印刷するプリンタは１台で、共にプリンタ２として説明してきたが、「すかし」を文書上の文書要素、図および表を位置情報が示す位置に正確に印刷できれば、「すかし」と文書を印刷するプリンタは同じものでなくとも良い。
【００２１】
以上に説明したように、本発明による「すかし」を用いた擬似ディスプレイシステムにおいては、用紙に印刷した文書とＰＣ上の文書を照合することができ、文書中の任意の文書要素、図および表の識別を可能にする効果が得られる。
【産業上の利用可能性】
【００２２】
ＰＣを用いた文書処理において、既存の文書要素、図および表を活用する文書処理アプリケーションとして利用できる可能性がある。
【００２３】
なお、上記の説明は、本発明の理解を助けるものであって、本発明の特許請求範囲を制限するものではない。
【図面の簡単な説明】
【００２４】
【図１】本発明によるすかしを用いた擬似ディスプレイシステムの実施の形態を説明する概略構成図である。
【図２】本発明によるすかしを用いた擬似ディスプレイシステムの実施の形態の動作を説明するフローチャートである。
【符号の説明】
【００２５】
１…パーソナルコンピュータ（ＰＣ）
２…プリンタ
３…印刷した文書
４…スキャナ
【図１】
2006338454.tif 000003
【図２】
2006338454.tif 000004